【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
表示手段に表示された広視野画像の表示領域に対する位置を入力する入力手段と、
前記広視野画像の一部範囲を前記表示手段に表示するように制御する表示制御手段と、
前記広視野画像の一部範囲を表示範囲として表示しており、第１の軸回りの回転の中心位置が表示範囲に含まれていない状態において、
前記入力手段で、前記表示領域に対する第１の方向への移動操作を受け付けたことに応じて、前記広視野画像の表示範囲を、前記第１の軸回りに時計回りに回転する方向に変更し、
前記入力手段で、前記表示領域に対する、前記第１の方向と逆方向である第２の方向への移動操作を受け付けたことに応じて、前記広視野画像の表示範囲を、前記第１の軸回りに反時計回りに回転する方向に変更し、
前記広視野画像の一部範囲を表示範囲として表示しており、前記中心位置が表示範囲に含まれている状態において、
前記入力手段で、前記表示領域に対する前記第１の方向への移動操作を受け付けたことに応じて、前記第１の方向と垂直な軸方向における該移動操作の起点と前記中心位置の位置関係に応じて、前記第１の軸回りの異なる回転方向に前記広視野画像の表示範囲を変更する
ように制御する制御手段と
を有することを特徴とする表示制御装置。
【請求項２】
前記制御手段は、前記広視野画像の一部範囲を表示範囲として表示しており、前記中心位置が表示範囲に含まれている場合に、
前記表示領域のうち、該中心位置よりも前記第１の方向と垂直な第３の方向側の位置を起点とした前記第１の方向への移動操作を受け付けた場合と、
前記表示領域のうち、該中心位置よりも前記第３の方向と逆方向である第４の方向側の位置を起点とした前記第１の方向への移動操作を受け付けた場合とで、
前記第１の軸回りの互いに逆の回転方向に前記広視野画像の表示範囲を変更する
ように制御することを特徴とする請求項１に記載の表示制御装置。
【請求項３】
前記制御手段は、前記広視野画像の一部範囲を表示範囲として表示しており、前記中心
位置が表示範囲に含まれている場合に、
前記表示領域のうち、該中心位置よりも前記第１の方向と垂直な第３の方向側の位置を起点とした前記第１の方向への移動操作を受け付けた場合と、
前記表示領域のうち、該中心位置よりも所定距離以上、前記第３の方向と逆方向である第４の方向側の位置を起点とした前記第１の方向への移動操作を受け付けた場合とで、
前記第１の軸回りの互いに逆の回転方向に前記広視野画像の表示範囲を変更する
ように制御することを特徴とする請求項１に記載の表示制御装置。
【請求項４】
前記第１の方向は表示向きに対する右であり、前記第２の方向は前記表示向きに対する左であり、前記第１の軸は前記表示向きに対する上下方向に平行な軸であることを特徴とする請求項２又は３に記載の表示制御装置。
【請求項５】
前記中心位置は天頂又は真上であり、
前記第４の方向は、前記表示向きに対する上であることを特徴とする請求項４に記載の表示制御装置。
【請求項６】
前記中心位置は天底又は真下であり、
前記第４の方向は、前記表示向きに対する下であることを特徴とする請求項４に記載の表示制御装置。
【請求項７】
前記制御手段は、前記広視野画像の一部範囲を表示範囲として表示している際に、前記入力手段で前記表示領域に対する前記第１の方向と垂直な第３の方向への移動操作を受け付けたことに応じて前記広視野画像の表示範囲を前記第１の軸と垂直な第２の軸回りに変更するように制御することを特徴とする請求項１乃至６のいずれか１項に記載の表示制御装置。
【請求項８】
前記制御手段は、前記中心位置が表示範囲に含まれている場合に、前記入力手段で前記表示領域に対する前記第３の方向への移動操作を受け付けたことに応じて、該移動操作の起点と前記中心位置の位置関係にかかわらず、前記広視野画像の表示範囲を前記第２の軸回りの同じ回転方向に変更するように制御することを特徴とする請求項７に記載の表示制御装置。
【請求項９】
前記制御手段は、前記中心位置が表示範囲に含まれていない場合に、前記入力手段で前記表示領域に対する前記第１の方向への移動操作を受け付けたことに応じて、該移動操作の起点にかかわらず、前記広視野画像の表示範囲を前記第１の軸回りの時計回りに変更するように制御することを特徴とする請求項１乃至８のいずれか１項に記載の表示制御装置。
【請求項１０】
前記広視野画像のうち前記中心位置を含まない範囲が表示範囲である状態で、
前記制御手段が前記広視野画像の表示範囲を前記第１の軸の回りに時計回りに回転させた場合、前記表示手段に表示される広視野画像は前記第２の方向に移動し、
前記制御手段が前記広視野画像の表示範囲を前記第１の軸の回りに反時計回りに回転させた場合、前記表示手段に表示される広視野画像は前記第１の方向に移動することを特徴とする請求項１乃至９のいずれか１項に記載の表示制御装置。
【請求項１１】
前記入力手段は、前記表示手段に対するタッチ操作を検知するタッチ検知手段であることを特徴とする請求項１乃至１０のいずれか１項に記載の表示制御装置。
【請求項１２】
前記入力手段は、ポインティングデバイスである請求項１乃至１１のいずれか１項に記載の表示制御装置。
【請求項１３】
前記広視野画像は、前記第１の軸回りに３６０度の映像範囲を有する画像であることを特徴とする請求項１乃至１２のいずれか１項に記載の表示制御装置。
【請求項１４】
前記広視野画像は、ＶＲ画像、全方位画像、全天球画像、１８０度以上の視野角を有する画像のうち少なくともいずれかであることを特徴とする請求項１乃至１３のいずれか１項に記載の表示制御装置。
【請求項１５】
表示手段に表示された広視野画像の表示領域に対する位置を入力する入力手段と、
前記広視野画像の一部範囲を前記表示手段に表示するように制御する表示制御手段と、
前記入力手段から前記表示領域に対する移動操作を受け付けたことに応じて、前記表示手段に表示されている前記広視野画像を移動させる制御手段と、
を備え、
前記制御手段は、前記広視野画像のうち前記表示手段に表示されている範囲に前記広視野画像の天頂又は天底が含まれている場合、前記入力手段から第１の方向の移動操作の入力を受け付けたことに応じた前記広視野画像の移動方向が、少なくとも前記移動操作が行われた位置において、前記移動操作の起点と前記天頂又は天底との位置関係によらず、前記第１の方向と一定の関係にある方向になるように、前記表示手段に表示される広視野画像を移動させることを特徴とする表示制御装置。
【請求項１６】
表示手段に広視野画像を表示する制御を行う表示制御装置であって、
前記広視野画像は、仮想的な球体の表面にマッピングされた画像であり、前記球体の第１軸方向及び前記第１軸に垂直な第２軸方向の所定範囲の画像情報を有し、前記所定範囲には、少なくとも前記第１軸の正方向の頂点及び負方向の頂点のいずれかが含まれ、
前記表示制御装置は、
前記表示手段に表示されている前記広視野画像を移動させる操作指示の入力を受け付ける入力手段と、
前記入力手段に前記第２軸方向の移動操作が入力された場合、前記広視野画像を前記第１軸の回りに回転させることにより前記表示手段に表示される広視野画像を移動させる制御手段と、
を有し、
前記制御手段は、前記広視野画像のうち前記頂点を含む範囲が前記表示手段に表示されている状態で前記入力手段に前記第２軸方向の移動操作が入力された場合、前記移動操作の起点と前記頂点との前記第１軸方向における位置関係に応じて、前記広視野画像を前記第１軸の回りに回転させる方向を決定することにより、前記移動操作の方向と前記表示手段に表示される広視野画像の移動方向との関係が、前記移動操作の起点と前記頂点との位置関係によらず一定となるように制御することを特徴とする表示制御装置。
【請求項１７】
広視野画像の一部範囲を表示手段に表示するように制御する表示制御ステップと、
前記広視野画像の表示領域に対する位置の入力を受け付ける入力ステップと、
前記広視野画像の一部範囲を表示範囲として表示しており、第１の軸回りの回転の中心位置が表示範囲に含まれている状態において、
前記入力ステップで、前記表示領域に対する第１の方向への移動操作を受け付けたことに応じて、前記広視野画像の表示範囲を、前記第１の軸回りに時計回りに回転する方向に変更し、
前記入力ステップで、前記表示領域に対する、前記第１の方向と逆方向である第２の方向への移動操作を受け付けたことに応じて、前記広視野画像の表示範囲を、前記第１の軸回りに反時計回りに回転する方向に変更し、
前記広視野画像の一部範囲を表示範囲として表示しており、前記中心位置が表示範囲に含まれている状態において、
前記入力ステップで、前記表示領域に対する前記第１の方向への移動操作を受け付けたことに応じて、前記第１の方向と垂直な軸方向における該移動操作の起点と前記中心位置の位置関係に応じて、前記第１の軸回りの異なる回転方向に前記広視野画像の表示範囲を変更する
ように制御する制御ステップと
を有することを特徴とする表示制御装置の制御方法。
【請求項１８】
広視野画像の一部範囲を表示手段に表示するように制御する表示制御ステップと、
前記広視野画像の表示領域に対する位置の入力を受け付ける入力ステップと、
前記入力ステップで前記表示領域に対する移動操作を受け付けたことに応じて、前記表示手段に表示されている前記広視野画像を移動させる制御ステップと、
を有し、
前記制御ステップでは、前記広視野画像のうち前記表示手段に表示されている範囲に前記広視野画像の天頂又は天底が含まれている場合、前記入力ステップで第１の方向の移動操作の入力を受け付けたことに応じた前記広視野画像の移動方向が、少なくとも前記移動操作が行われた位置において、前記移動操作の起点と前記天頂又は天底との位置関係によらず、前記第１の方向と一定の関係にある方向になるように、前記表示手段に表示される広視野画像を移動させることを特徴とする表示制御装置の制御方法。
【請求項１９】
表示手段に広視野画像を表示する制御を行う表示制御装置の制御方法であって、
前記広視野画像は、仮想的な球体の表面にマッピングされた画像であり、前記球体の第１軸方向及び前記第１軸に垂直な第２軸方向の所定範囲の画像情報を有し、前記所定範囲には、少なくとも前記第１軸の正方向の頂点及び負方向の頂点のいずれかが含まれ、
前記制御方法は、
前記表示手段に表示されている前記広視野画像を移動させる操作指示の入力を受け付ける入力ステップと、
前記入力ステップで前記第２軸方向の移動操作が入力された場合、前記広視野画像を前記第１軸の回りに回転させることにより前記表示手段に表示される広視野画像を移動させる制御ステップと、
を有し、
前記制御ステップでは、前記広視野画像のうち前記頂点を含む範囲が前記表示手段に表示されている状態で前記入力ステップで前記第２軸方向の移動操作が入力された場合、前記移動操作の起点と前記頂点との前記第１軸方向における位置関係に応じて、前記広視野画像を前記第１軸の回りに回転させる方向を決定することにより、前記移動操作の方向と前記表示手段に表示される広視野画像の移動方向との関係が、前記移動操作の起点と前記頂点との位置関係によらず一定となるように制御することを特徴とする制御方法。
【請求項２０】
コンピュータを、請求項１乃至１６のいずれか１項に記載された表示制御装置の各手段として機能させるためのプログラム。
【請求項２１】
コンピュータを、請求項１乃至１６のいずれか１項に記載された表示制御装置の各手段として機能させるためのプログラムを格納した、コンピュータが読み取り可能な記憶媒体。
【手続補正２】
【補正対象書類名】明細書
【補正対象項目名】０００７
【補正方法】変更
【補正の内容】
【０００７】
本発明は、
表示手段に表示された広視野画像の表示領域に対する位置を入力する入力手段と、
前記広視野画像の一部範囲を前記表示手段に表示するように制御する表示制御手段と、
前記広視野画像の一部範囲を表示範囲として表示しており、第１の軸回りの回転の中心位置が表示範囲に含まれていない状態において、
前記入力手段で、前記表示領域に対する第１の方向への移動操作を受け付けたことに応じて、前記広視野画像の表示範囲を、前記第１の軸回りに時計回りに回転する方向に変更し、
前記入力手段で、前記表示領域に対する、前記第１の方向と逆方向である第２の方向への移動操作を受け付けたことに応じて、前記広視野画像の表示範囲を、前記第１の軸回りに反時計回りに回転する方向に変更し、
前記広視野画像の一部範囲を表示範囲として表示しており、前記中心位置が表示範囲に含まれている状態において、
前記入力手段で、前記表示領域に対する前記第１の方向への移動操作を受け付けたことに応じて、前記第１の方向と垂直な軸方向における該移動操作の起点と前記中心位置の位置関係に応じて、前記第１の軸回りの異なる回転方向に前記広視野画像の表示範囲を変更する
ように制御する制御手段と
を有することを特徴とする表示制御装置である。